(57)【要約】【課題】ＰＬＥ制御によってサイドパネルとしての画像領域の輝度がダイナミックに変化する状態が生じないようにして、表示画像品質の向上を図る。【解決手段】画像領域に対応する入力映像信号に対して、サイドパネルとしての映像信号を合成して得られる合成映像信号を表示出力可能とされ、かつ、ＰＬＥ制御により画像表示を行うディスプレイ装置において、サイドパネルとしての映像信号を生成するのにあたっては、先ず、上記入力映像信号についての平均輝度レベルを検出するように構成する。そして、ＰＬＥ制御の結果として、表示されるサイドパネルの輝度が視覚的にほぼ一定となるような表示輝度レベルが得られるように、上記入力映像信号についての平均輝度レベルの検出結果に応じて、合成前のサイドパネルとしての映像信号の輝度レベルを設定する。【選択図】図７
2005010743.tif 000002
【特許請求の範囲】
【請求項１】
同一画面内に、入力映像信号を元として表示される画像領域と共に表示すべき非画像領域としての映像信号を生成する生成手段と、
上記入力映像信号に対して、上記非画像領域としての映像信号を合成した合成映像信号を生成する合成手段と、
入力された上記合成映像信号の平均輝度レベルに基づいて表示輝度レベルを設定する表示輝度レベル設定手段と、
上記表示輝度レベルに基づいた輝度が得られるようにして、画像表示のための駆動を行う表示駆動手段と、
上記入力映像信号の平均輝度レベルを検出する平均輝度レベル検出手段と、
上記表示駆動手段により表示される上記非画像領域の輝度が視覚的にほぼ一定となる上記表示輝度レベルが上記表示輝度レベル設定手段により設定されるように、上記平均輝度レベル検出手段により検出された平均輝度レベルに基づいて、上記非画像領域としての映像信号の輝度レベルを設定する信号輝度レベル設定手段とを備え、
上記生成手段は、上記信号輝度レベル設定手段により設定された映像信号の輝度レベルを有する上記非画像領域としての映像信号を生成する、
ことを特徴とするディスプレイ装置。
【請求項２】
同一画面内に、入力映像信号を元として表示される画像領域と共に表示すべき非画像領域としての映像信号を生成する生成手順と、
上記入力映像信号に対して、上記非画像領域としての映像信号を合成した合成映像信号を生成する合成手順と、
入力された上記合成映像信号の平均輝度レベルに基づいて表示輝度レベルを設定する表示輝度レベル設定手順と、
上記表示輝度レベルに基づいた輝度が得られるようにして、画像表示のための駆動を行う表示駆動手順と、
上記入力映像信号の平均輝度レベルを検出する平均輝度レベル検出手順と、
上記表示駆動手順により表示される上記非画像領域の輝度が視覚的にほぼ一定となる上記表示輝度レベルが上記表示輝度レベル設定手順により設定されるように、上記平均輝度レベル検出手順により検出された平均輝度レベルに基づいて、上記非画像領域としての映像信号の輝度レベルを設定する信号輝度レベル設定手順とを実行すると共に、
上記生成手順は、上記信号輝度レベル設定手順により設定された映像信号の輝度レベルを有する上記非画像領域としての映像信号を生成する、
ことを特徴とする画像表示方法。
【発明の詳細な説明】
【技術分野】
【０００１】
本発明は、映像信号を入力して画像表示を行うディスプレイ装置と、このようなディスプレイ装置における画像表示方法に関する。
【背景技術】
【０００２】
画像表示のためのディスプレイ装置として、プラズマディスプレイ装置が普及してきている。
プラズマディスプレイの表示原理としては、周知のようにして、例えば２枚のガラス基板を対向させることで形成して空間内にガスを封入したうえで、このガス内に対して電圧を印加して真空放電を起こさせる。これにより、ガラス基板の空間内においては、ガスが電離してプラズマ状態となり紫外線が放射される。ここで、ガラス基板間の空間内に蛍光体層を形成しておくと、この蛍光体層では、上記紫外線が照射されることで、所定色の可視光を放射する。このような蛍光体としてＲ，Ｇ，Ｂの３色に対応するものを形成しておき、例えばマトリクス状に形成した表示セルごとに上記した放電発光現象が得られるようにすることで、カラー画像表示が可能なプラズマディスプレイ装置が構成されることになる。
【０００３】
また、上記したようなプラズマディスプレイ装置を表示駆動する方式としては、サブフィールド方式が知られている。
サブフィールド方式は、１フィールドを、複数のサブフィールドに分割して、各サブフィールドごとに、表示セルの発光期間を制御することで、各表示セルの階調（輝度）を表現する駆動方式である。この際、１画素を形成するＲ，Ｇ，Ｂの各表示セルの階調を制御することで、画面全体の階調バランスだけではなく、１画素ごとの色再現が行われることになる。つまり、カラー画像の表現が可能となる。
【０００４】
また、プラズマディスプレイ装置は、現状においては、表示時の発光効率が低い。このために、画面全体において明るい映像を表示させる場合には、相当に大きな電力が必要となって、電力消費増加の問題が無視できなくなる。また、ディスプレイ装置の表示パネル部分や回路の発熱も増加して信頼性を低下させる。
そこで、プラズマディスプレイ装置では、画像表示を行うのにあたっていわゆるＰＬＥ(Peak Luminance Enhancement)制御が行われる。ＰＬＥ制御では、先ず、例えばフィールド画面全体に対応する映像信号の平均輝度レベルを検出し、この平均輝度レベルに基づいて、実際に画像表示させるための輝度レベルである表示輝度レベルを設定する。そして、この設定された表示輝度レベルに応じた階調が表現されるようにして、例えば上記したサブフィールド方式による駆動を行うものである。
実際のＰＬＥ制御では、同じ輝度レベルの信号であっても、平均輝度レベルが小さい場合には、表示輝度レベルを高く設定して高輝度な表示が行われるようにする。これに対して、平均輝度レベルが大きく明るい場合には、表示輝度レベルを低く設定して電力消費量を制限している。
このようにしてＰＬＥ制御が行われることで最大消費電力が減少され、また、コントラストの良好な画像を表示させることも可能となる。
【０００５】
また、プラズマディスプレイ装置の表示パネルとしては、アスペクト比４：３に対して横長となる、アスペクト比１６：９のものが広く採用されているが、このアスペクト比１６：９の表示パネルに対してアスペクト比４：３の画像を表示させるのにあたっては、１つには、アスペクト比４：３の画像を横方向に拡大してアスペクト比１６：９の画像とすることが行われる。
しかしながら、アスペクト比４：３の画像をアスペクト比１６：９の画像に拡大した場合には、拡大分だけ画像が横方向に延びるようにして歪むことになる。これを避けるために、例えば図１３（ａ）に示すようにして表示させることもできるようになっている。つまり、アスペクト比１６：９の表示パネル２００に対し、横方向において中央に画像エリア２０１が配置されるように、アスペクト比４：３の画像を表示させる。この場合、画像エリア２０１の左右両サイドには、画像が表示されない非画像領域が形成されるが、この領域は、サイドパネル２０２として示すようにして、例えば黒に近い輝度及び色により表示を行うようにする。
このような表示であれば、サイドパネル２０２としての画像が表示されない領域は生じるものの、画像についての４：３のアスペクト比は保たれて、歪みの無い画像が表示されることになる。
【０００６】
また、例えば図１３（ｂ）に示すようにして、表示パネル２００に複数の画像エリア２０１を表示させるときにも、表示パネル２００における画像エリア２０１以外の領域に対して、サイドパネル２０２を形成するようにされる。
なお、図１３（ｂ）に示される画像エリア２０１と非画像領域との位置関係からすれば、厳密には、非画像領域をサイドパネルということにはならない。しかしながら、本明細書では、表示パネル２００内における画像エリア２０１以外の非画像領域について、例えば黒に近い表示とした場合を、サイドパネルということにする。
【０００７】
ところで、上記もしているように、プラズマディスプレイ装置において表示される画像光は、蛍光体層から放射する可視光により得られるものであるが、この蛍光体層は、使用経過に応じて劣化することが分かっている。このような蛍光体の劣化は、真空放電によって照射される紫外線や、真空空間内において発生するイオンの衝撃などが要因となって起こる。
従って、蛍光体の劣化は、発光した累積時間が長いほど進行することになる。そして、実際の表示においては、各表示セルに対応する蛍光体の発光累積時間は均一とは成らず、これまでに表示させてきた画像に応じてばらつきが生じることになる。つまり、表示セル間での蛍光体の劣化の度合いにばらつきが生じる。
蛍光体の劣化は、発光輝度の低下として現れる。そして、上記のようにして、各表示セルごとに対応する蛍光体についての劣化にばらつきが生じるということは、蛍光体の発光輝度にばらつきが生じることになる。また、例えば１画素を形成するＲ，Ｇ，Ｂの蛍光体の間で発光輝度にばらつきが生じれば、ホワイトバランスも崩れることになる。
これにより、表示画面全体としてみた場合にも、本来は同じ輝度、色合いで表示されるべき領域について劣化の進行している部分が周囲と異なる輝度、色合いにより表示されるようにして見えるようになってくることがある。これが、いわゆる焼き付きといわれる。焼き付きが生じている場合、例えば蛍光体の劣化している領域が固定パターンとして、本来の画像に重なるようにして表示されてしまうことになるので、表示画質を劣化させるものとして以前から問題となっている。
【０００８】
そこで、焼き付きを軽減するため手法として、例えば次のような方法が先に提案されている。先ずは、入力映像信号による画像表示が動画表示であるか固定文字表示などの静止画表示であるか否かを判別する。そして、動画表示であることを判別したときには、例えば通常のＰＬＥ制御を実行するが、静止画表示であるときには、ＰＬＥ制御を実行せずに、所定の輝度による一定の低輝度表示を行うものである。（例えば特許文献１参照）。これにより、特に静止画表示のときには、画像の明るい領域と暗い領域とでの輝度差が大きくならないようにしており、結果的に、蛍光体の劣化の進行度合いに大きな差が生じないようにされて、焼き付きが軽減されるものである（例えば特許文献１参照）。
【０００９】
ところで、上記した焼き付きは、長時間累積して、表示パネル上において比較的明暗のはっきりした固定的なパターンの画像を表示させた場合に起こりやすいということがいえる。つまり、暗目に表示される画像部分の蛍光体と比較すると、明るめの画像部分の蛍光体は発光累積時間が長くなる。これにより、明るめの表示領域と、暗めの表示領域の間で、蛍光体の劣化の度合いが大幅にずれることになり、その境界がはっきり見えてしまうような焼き付きが生じることになる。
【００１０】
従って、プラズマディスプレイ装置において、先に図１３（ａ）（ｂ）に示したようなサイドパネル２０２が存在するような表示を行うことによっては、画像エリア２０１とサイドパネル２０２との境界での焼き付きが生じやすいということになる。
そこで、プラズマディスプレイ装置において、画像と共にサイドパネル２０２を配置した表示をおこなう場合に対応しても、焼き付きが軽減されるようにすることが求められる。このためには、例えば上記した動画表示と静止画表示の判別結果に基づいてＰＬＥ制御のオン／オフを切り換えるという、焼き付き軽減のための手法を適用することも考えられる。この手法を適用した場合、画像エリア２０１とサイドパネル２０２との境界を静止画として検出して、ＰＬＥ制御をオフとすることで、一定低輝度による表示を行うことになるが、これによっては、例えば、画像エリア２０１における表示輝度が或る程度低下することになる。つまり、サイドパネル２０２の領域はほぼ全黒に近い輝度であるから、画像エリア２０１の表示輝度を低下させれば、画像エリア２０１の蛍光体の劣化の進行を遅くすることができ、結果的に、焼き付きの進行も遅くなるものである。
しかしながら、この場合には、画像エリア２０１に表示される画像が暗くなってしまうために、画像品質が劣化することになって好ましくない。
そこで、現状では、逆に、ＰＬＥ制御は通常に実行させたうえで、サイドパネル２０２について或る程度の輝度を与えてグレー（灰色）の状態で表示させるようにすることが広く行われている。この場合には、サイドパネル２０２に対応するパネル部分の蛍光体の劣化を進行させることで、画像エリア２０１に対応するパネル部分との蛍光体の劣化の進行度に著しい差が生じないようにして、焼き付きの進行を遅くしていることになる。
【００１１】
【特許文献１】特開２００１−３０６０２６号公報
【発明の開示】
【発明が解決しようとする課題】
【００１２】
しかしながら、上記のようにしてサイドパネル２０２について或る程度の輝度を与えて焼き付き軽減を図る場合には、次のような問題が顕著となる。
前述もしたように、プラズマディスプレイ装置では、消費電力の減少と良好なコントラストを得ることを目的としてＰＬＥ制御が行われる。このＰＬＥ制御は、サイドパネル２０２を配置した画像表示を行う場合、例えば図１３（ａ）（ｂ）に示すような表示パネル２００における表示状態に対応した映像信号に対して行われる。つまり、図１３（ａ）を例にとると、画像エリア２０１に対応する４：３の映像信号に対して、サイドパネル２０２、２０２としての映像信号を合成して得られるフィールド単位の合成映像信号を入力してＰＬＥ制御が行われる。
【００１３】
ここで、画像エリア２０１に対応する４：３の映像信号に対して合成されるサイドパネル２０２、２０２としての映像信号は、予め設定された一定の輝度レベルを有している。これに対して、画像エリア２０１に対応する４：３の映像信号は、実際の画像内容に応じて輝度レベルが変化する。
従って、これらを合成した合成映像信号についてＰＬＥ制御を行って表示させた画像としては、画像エリア２０１に対応する映像信号の輝度レベル変化に応じて、サイドパネル２０２，２０２の表示輝度も変化してしまうことになる。
つまり、画像エリア２０１に対応する映像信号の画像が明るいものであれば、それだけ合成映像信号の平均輝度レベルも高くなるので、フィールド画像全体の表示輝度を抑制するようにＰＬＥ制御がはたらく。従って、サイドパネル２０２も表示輝度が抑制され、実際に表示されるサイドパネル２０２も暗くなるように変化する。
また、逆に、画像エリア２０１に対応する映像信号の画像が暗くなって、合成映像信号の平均輝度レベルも低くなれば、フィールド画像全体の表示輝度を高くするようにＰＬＥ制御がはたらくので、実際に表示されるサイドパネル２０２も明るくなるように変化する。
このようにＰＬＥ制御が行われるディスプレイ装置においては、画像部分に対応する映像信号の輝度に応じて、サイドパネルの表示輝度がダイナミックに変化してしまい、表示パネルに表示される画像全体としては見苦しく、品位が高くないという問題を有していたものである。
【課題を解決するための手段】
【００１４】
そこで、本発明は上記した課題を考慮して、ディスプレイ装置として次のように構成することとした。
つまり、同一画面内に、入力映像信号を元として表示される画像領域と共に表示すべき非画像領域としての映像信号を生成する生成手段と、入力映像信号に対して、非画像領域としての映像信号を合成した合成映像信号を生成する合成手段と、入力された合成映像信号の平均輝度レベルに基づいて表示輝度レベルを設定する表示輝度レベル設定手段と、表示輝度レベルに基づいた輝度が得られるようにして画像表示のための駆動を行う表示駆動手段と、入力映像信号の平均輝度レベルを検出する平均輝度レベル検出手段と、表示駆動手段により表示される非画像領域の輝度が視覚的にほぼ一定となる表示輝度レベルが表示輝度レベル設定手段により設定されるように、平均輝度レベル検出手段により検出された平均輝度レベルに基づいて、非画像領域としての映像信号の輝度レベルを設定する信号輝度レベル設定手段とを備える。そして、上記生成手段は、信号輝度レベル設定手段により設定された映像信号の輝度レベルを有する非画像領域としての映像信号を生成するようにして構成する。
【００１５】
また、画像表示方法としては次のように構成する。
つまり、同一画面内に、入力映像信号を元として表示される画像領域と共に表示すべき非画像領域としての映像信号を生成する生成手順と、入力映像信号に対して非画像領域としての映像信号を合成した合成映像信号を生成する合成手順と、入力された合成映像信号の平均輝度レベルに基づいて表示輝度レベルを設定する表示輝度レベル設定手順と、表示輝度レベルに基づいた輝度が得られるようにして画像表示のための駆動を行う表示駆動手順と、入力映像信号の平均輝度レベルを検出する平均輝度レベル検出手順と、表示駆動手順により表示される非画像領域の輝度が視覚的にほぼ一定となる表示輝度レベルが表示輝度レベル設定手順により設定されるように、平均輝度レベル検出手順により検出された平均輝度レベルに基づいて、非画像領域としての映像信号の輝度レベルを設定する信号輝度レベル設定手順とを実行する。そして、上記生成手順は、信号輝度レベル設定手順により設定された映像信号の輝度レベルを有する非画像領域としての映像信号を生成するように構成する。
【００１６】
上記各構成によると、本発明としては、画像領域に対応する入力映像信号に対して、非画像領域としての映像信号を合成して得られる合成映像信号を表示出力可能とされたうえで、この合成映像信号についての平均輝度レベルに基づいて設定した表示輝度レベルにより画像表示を行う（即ち、ＰＬＥ制御により画像表示を行う）という基本構成が採られている。
そのうえで、非画像領域としての映像信号を生成するのにあたっては、先ず、上記入力映像信号についての平均輝度レベルを検出するようにしている。ここで、入力映像信号についての平均輝度レベルを検出することによっては、仮に、合成前の非画像領域としての映像信号の輝度を所定の一定値とした場合において、上記表示輝度レベル設定手段（表示輝度レベル設定手順）により設定される、非画像領域に対応する映像信号部分の表示輝度レベルの変化認識できることになる。
本発明の信号輝度レベル設定手段（信号輝度レベル設定手順）としては、上記した入力映像信号についての平均輝度レベルの検出結果に応じて、非画像領域に対応する映像信号部分の表示輝度レベルを設定するのであるが、上記したことに基づいて、上記表示駆動手段により表示される上記非画像領域の輝度が視覚的にほぼ一定となるような表示輝度レベルを設定することが可能となっているものである。
【発明の効果】
【００１７】
このようにして本発明によっては、いわゆるＰＬＥ制御を伴って画像表示を行う構成のもとで、画像領域と非画像領域（サイドパネル）としての映像信号を合成した合成映像信号を表示出力させるときに、例えば焼き付き防止のために非画像領域について或る程度の輝度を与えているとしても、上記ＰＬＥ制御の影響によらず、非画像領域の視覚的な輝度をほぼ一定とすることができる。
これにより、画像領域と非画像領域を同一画面に表示して得られる表示画像としては、非画像領域の輝度が変化するような見苦しさが無くなり、高い品位が得られることになる。
【発明を実施するための最良の形態】
【００１８】
図１は、本発明の実施の形態としての表示装置であるプラズマディスプレイ装置の表示パネルの構造を示している。なお、本実施の形態としてのプラズマディスプレイ装置としては、ＡＣ型（交流型）を例に挙げることとする。表示パネルとしては、３電極構造による面放電型の構成を採る。
【００１９】
この図１に示すようにして、表示パネルの最前面に、透明の前面ガラス基板１０１が配置される。そして、この前面ガラス基板１０１の背面側に対して、電極Ｘ（１０２Ａ）及び電極Ｙ（１０２Ｂ）で対となるサステイン電極１０２が配置される。電極Ｘ（１０２Ａ）及び電極Ｙ（１０２Ｂ）は、例えば図示するようにして、所定の間隔を有して平行に配置される。この対となる電極Ｘ（１０２Ａ）及び電極Ｙ（１０２Ｂ）から成るサステイン電極１０２が、１つの行としてのラインを形成することになる。また、これら電極Ｘ（１０２Ａ），電極Ｙ（１０２Ｂ）は、それぞれ、透明導電膜１０２ａと金属膜（バス導体）１０２ｂとを組み合わせて形成される。
【００２０】
前面ガラス基板１０１の背面側に対しては、上記のようにしてサステイン電極１０２（電極Ｘ（１０２Ａ），電極Ｙ（１０２Ｂ））が配置された上で、さらに、例えば低融点ガラスから成る誘電体層１０３が配置され、この誘電体層１０３の背面側に対して、例えばＭｇＯなどによる保護膜１０４が形成される。
【００２１】
また、背面ガラス基板１０５の前面側には、アドレス電極１０７が、サステイン電極１０２（電極Ｘ（１０２Ａ），電極Ｙ（１０２Ｂ））に対して直交する方向に配置される。アドレス電極は、列としてのラインを形成する。また、隣り合うアドレス電極１０７の間には、隔壁１０６を形成するようにしている。
そして、各アドレス電極１０７が配置される背面ガラス基板上面部と、その両側の隔壁１０６の側壁部を覆うようにして、Ｒ，Ｇ，Ｂの各色の蛍光体層１０８Ｒ、１０８Ｇ、１０８Ｂが順次配列されるようにして形成される。
【００２２】
このような構造を有した上で、隔壁１０６の前面側端部が、実際には、保護膜１０４に対して当接するようにして組み合わされる。このような構造により、蛍光体層１０８Ｒ、１０８Ｇ、１０８Ｂが形成されている放電空間１０９が形成されることになる。この放電空間１０９は、真空としたうえで例えばネオン(Ne)、キセノン(Xe)、ヘリウム(He)などのガスが封入される。
そして、このガスが封入された放電空間１０９内で、電極Ｘ（１０２Ａ），電極Ｙ（１０２Ｂ）間での面放電が生じることで紫外線が放射され、この紫外線により蛍光体層１０８が励起されて可視光としての表示光を放射することになる。
【００２３】
図２は、上記した表示パネルの構造を前提とした駆動回路系の構成を示している。
例えば表示パネル全体としてみた場合には、サステイン電極１０２としての電極Ｘ（１０２Ａ）は、上方向から下方向にかけて水平に電極Ｘ1〜Ｘnが配列され、電極Ｙ（１０２Ｂ）も同様にして、上方向から下方向にかけて水平に、電極Ｙ1〜Ｙnが配列される。そして、［電極Ｘ1、電極Ｙ1］［電極Ｘ2、電極Ｙ2］・・・［電極Ｘn、電極Ｙn］の各組により１つの行方向のラインを形成する。
また、アドレス電極Ａ（１０７）は、例えば左から右方向にかけて垂直方向にアドレス電極Ａ1〜Ａmが配列されて、列方向のラインを形成する。
そして、対となるサステイン電極（電極Ｘ1〜Ｘn，電極Ｙ1〜Ｙn）から成る行方向ラインと、アドレス電極Ａ1〜Ａmとしての列方向のラインとの各交点が、１つのセル（表示セル）３０として形成されることになる。
【００２４】
ここでいうセル３０とは、上記のようにして、サステイン電極（電極Ｘ，電極Ｙ）とアドレス電極Ａとが交差する位置から成る表示パネルの構造体部分を指すものである。そして、このセル３０は、図１に示した表示パネルの構造に依れば、図１及び図３に示すようにして、対応して配置される蛍光体層１０８の色に応じて、Ｒのセル３０Ｒ、Ｇのセル３０Ｇ、Ｂのセル３０Ｂとが得られることになる。そして、水平方向に隣接して並ぶＲ，Ｇ，Ｂのセル３０Ｒ、３０Ｇ、３０Ｂの組により、カラー表現が可能な１つの画素３１が形成されることになる。
【００２５】
続いては、上記構造によるプラズマディスプレイ装置としての表示パネルに対する表示駆動について説明する。
本実施の形態では、いわゆるサブフィールド方式により画像表示を行うこととしている。サブフィールド方式では、図４に示すようにして、１フィールド分（＝１６．７ｍｓ）の期間を複数のサブフィールドに分割する。図４では、１フィールド期間を８つのサブフィールドSF1〜SF8に分割することとしている。
ここで、サブフィールドSF1〜SF8の各々に対応するとされる１つのサブフィールド期間は、図示するようにして、リセット期間Ｔrs、アドレス期間Ｔad、サステイン期間Ｔsとから成る。各期間の動作については後述する。
【００２６】
１フィールド期間を８つのサブフィールドに分割した場合には、各サブフィールドSF1〜SF8により表現すべき輝度の相対比率について、１：２：４：８：１６：３２：６４：１２８となるようにバイナリーの重み付けを設定する。そして、この設定した重み付けに応じて、各サブフィールドSF1〜SF8により表現すべき輝度を設定する。この輝度設定は、実際にはサステイン期間Ｔsにおいて電極Ｘ，電極Ｙに対して、面放電を発生させるために印加するサステインパルス数により設定することになる。
ここで、サステインパルスを印加する際のパルス出力周期は一定であるので、サブフィールドとしての輝度の重み付けが大きいほど印加すべきサステインパルス数が増加してサステイン期間Ｔsは長くなる。これに対して、リセット期間Ｔrs、及びアドレス期間Ｔadの長さは、行方向ラインの総数ｎによって決まり、輝度の重みに付けにかかわらず一定となる。
そして、このようなサブフィールドSF1〜SF8を利用した発光／非発光の組み合わせによっては、Ｒ，Ｇ，Ｂの各セル毎に２５６階調を表現することが可能になる。
【００２７】
図５の波形図は、１サブフィールド期間における表示駆動タイミングを示している。
先ず、１サブフィールド期間において最初の期間となるリセット期間Ｔrsは、直前のサブフィールド期間における発光状態の影響をキャンセルするために、水平ライン（サステイン電極）群の壁電荷の消去を行う期間である。
このためには、例えばサステイン電極Ｘ1〜Ｘnに対して、同時に、書込パルスＰwを印加する。この書込パルスＰwが正極性の電位Ｖrにまで立ち上がることにより、強度の面放電が生じて、誘電体層１０３には、大量の壁電荷が蓄積される。そして、書込パルスＰwの立ち下がりに応じては、立ち上がり時に蓄積された壁電荷による自己放電が発生し、誘電体層１０３の壁電荷は消失する。
なお、この図では、書込パルスＰwと同じ出力タイミングによりアドレス電極Ａ1〜Ａmに対して、電位Ｖawによる正極性のパルスＰawを印加している。このパルスＰawを印加することにより、表示パネル背面側の内壁面の帯電が抑制される。
【００２８】
続くアドレス期間Ｔadでは、ライン順次によりアドレッシングを行って、このサブフィールド期間におけるセル３０ごとの発光／非発光を設定する。つまり、アドレス期間Ｔadは、１サブフィールド期間により発光させるべきセル３０を選択する期間となる。
このために、ここではサステイン電極Ｘを接地電位（０V）に対して正極性の電位Ｖaxを継続的に印加することで、この電位Ｖaxによりバイアスされた状態が得られるようにする。また、サステイン電極Ｙ側は、負極性の電位Ｖscによりバイアスする。
そして、この状態のもとで、サステイン電極Ｙ1〜Ｙnに対して、負極性のスキャンパルスＰyを順次印加していく。つまり、水平ラインについて、例えば上から下方向にかけて順次スキャンするようにして選択を行っていく。そして、スキャンパルスＰyの印加によりライン選択が行われている期間内において、アドレス電極Ａ1〜Ａmのうちで、その選択されたラインにおいて発光させるべきセルに対応したアドレス電極Ａに対して電位Ｖaによる正極性のアドレッシングパルスＰaを印加する。
スキャンパルスＰyが印加されている選択中の水平ラインにおいて、アドレッシングパルスＰaが印加されたセル３０では、サステイン電極Ｙとアドレス電極Ａとの間で対向放電が発生して壁電荷が生じる。ただし、このときには、サステイン電極Ｘは、アドレッシングパルスＰaと同極性の電位にバイアスされていることから、アドレッシングパルスＰaと同極性の電位にバイアスされている。このために、サステイン電極Ｘに対しては、アドレッシングパルスＰaがうち消されることになり、サステイン電極Ｘとアドレス電極Ａとの間での放電は発生しない。
【００２９】
続くサステイン期間Ｔsは、上記アドレス期間Ｔadでのアドレッシングにより発光させるべきものとして設定されたセル３０に対する発光状態を維持するための期間である。
このためには、先ず、サステイン電極Ｙ1〜Ｙnに対して、正極性の電位Ｖsによる所定パルス幅のサステインパルスＰsを同時に印加する。そして、これらサステイン電極Ｙ1〜Ｙnに対するサステインパルスの印加が終了した後に、サステイン電極Ｘ1〜Ｘnに対して、同様にして、正極性の電位Ｖsによる所定パルス幅のサステインパルスＰsを同時に印加する。これらサステイン電極Ｘ1〜Ｘnに対するサステインパルスの印加が終了した後は、同様にして、サステイン電極Ｙ1〜Ｙn、サステイン電極Ｘ1〜Ｘnに対して、交互にサステインパルスＰsを印加していくようにされる。
サステインパルスＰsが印加されるごとに、先のアドレス期間Ｔadにおいて発光させるべきとして設定されたセル、つまり、壁電荷の蓄積が行われたセル３０において、サステイン電極Ｘ、サステイン電極Ｙとの間で面放電が生じる。
【００３０】
ここで、図６により、本実施の形態としての表示パネル構造を採るプラズマディスプレイ装置の発光動作について説明しておく。この図においては、本実施の形態としての構造の表示パネルにおいて、１つのセル３０に相当する部位を断面図により示している。なお、この図において図１と同一部分には同一符号を付して説明を省略する。
上記のようにして、アドレス期間ＴadにおいてアドレッシングパルスＰaが印加されたことにより壁電荷が蓄積されたセル３０では、サステイン期間Ｔsにおいて、サステイン電極１０２（電極Ｘ、電極Ｙ）に対して交互にサステインパルスＰsが印加されるのに応じて面放電が生じる。この面放電は、放電空間１０９内に封入されたガスをプラズマ状態とするプラズマ放電であり、これにより、放電空間１０９内では、紫外線が放射されることになる。
そして、この紫外線の照射に反応して蛍光体層１０８からは可視光が放射される。この可視光は、蛍光体層の実際が、Ｒ蛍光体層１０８Ｒ、Ｇ蛍光体層１０８Ｇ、Ｂ蛍光体層１０８Ｂのいずれかとされていることに対応して、Ｒ，Ｇ，Ｂのいずれかの色により放射されるものとなる。
そして、この可視光は、蛍光体層１０８にて反射されるようにして、保護膜１０４、誘電体層１０３、前面ガラス基板１０１を透過して、表示光として前面側に照射されることになる。
【００３１】
上記のようにして各セル３０は、上記図６により説明した原理によって、点灯するようにして発光制御される。そして、このような点灯の動作が、先に図４及び図５により説明したサブフィールド方式による表示駆動によって行われることで、各セル３０は、１フィールド期間内において、２５６階調の範囲での所要の輝度が得られるようにして発光制御されることになる。
【００３２】
本実施の形態のプラズマディスプレイ装置は、上記した構成による表示パネルとして１６：９のアスペクト比に対応する形状サイズを有しているものとされる。そして、画像表示のために入力された映像信号が４：３のアスペクト比である場合には、横方向に拡大してアスペクト比１６：９の画像として、表示パネルの全表示領域を使用して表示させることができる。
ただし、この場合には、表示される画像が横方向に延びるようにして歪むこととなるから、４：３のアスペクト比のまま表示させることもできるようになっている。そして、この場合には、例えば図１３（ａ）に示すようにして、４：３のアスペクト比の映像信号による、画像エリア２０１を、表示パネル２００内に対して横方向において中央に配置させる。この画像エリア２０１は、４：３のアスペクト比を有しており、縦（垂直）方向においては、表示パネル２００の縦幅をいっぱいに使用している。そして、表示パネル２００において、画像エリア２０１の左右両側の画像が表示されない非画像領域をサイドパネル２０２，２０２とするものである。
【００３３】
また、本実施の形態では、上記サイドパネル２０２，２０２について、完全な黒（つまり表示輝度０）とするのではなく、或る程度の輝度が与えられたグレー表示を行うこととしている。これは、従来として述べたように、サイドパネル２０２と画像エリア２０１との境界における、いわゆる焼き付きが目立つことを防止するための措置である。
【００３４】
つまり、プラズマディスプレイ装置は、図６により説明した原理によって発光表示を行うために、放電空間１０９内での面放電により照射される紫外線、及びイオン化したガスの衝撃等の要因により、蛍光体層１０８が劣化する。
蛍光体層１０８の劣化は、輝度の低下として現れることから、或る固定的な表示領域部分での蛍光体層１０８について、他の領域よりも劣化が進行したような場合には、周囲の表示領域との間で輝度に差が生じて、焼き付きという現象になる。焼き付きが生じた場合には、例えばその焼き付き部分が固定パターンとして表示画像に重なるようにして見えることになるので、表示画像の質を損なうことになって好ましくない。
【００３５】
そして、図１３に示すようにして、画像エリア２０１とサイドパネル２０２が表示されるような状況では、画像エリア２０１とサイドパネル２０２の境界がほぼ固定的であるうえ、長時間表示されることが多いので、画像が表示される画像エリア２０１と定常的に黒色に近いサイドパネル２０２の境界における焼き付きの進行が早く目立ちやすくなる。
そこで、サイドパネル２０２側において或る程度の輝度を与えた、いわゆるグレー表示とすれば、その分、サイドパネル２０２に対応するパネル部分の蛍光体の劣化が進行し、これにより、画像エリア２０１に対応するパネル部分との蛍光体の劣化の進行度の差を縮めて、結果的に、焼き付きが目立たないようにさせることができる。このような手法は、従来においても述べたように、例えば、サイドパネル２０２についてはほぼ黒色（表示輝度０）としたうえで、画像エリア２０１の表示輝度を低下させる手法を採る場合のように、画像エリア２０１が暗くなって画像品質を低下させることがないために、より有利である。
【００３６】
そのうえで、本実施の形態では、ＰＬＥ制御によって表示パネル上での画像の表示輝度がダイナミックに可変されるのにかかわらず、サイドパネル２０２の領域については表示輝度が変化しないようにして、視覚的にほぼ一定の輝度を維持可能に構成される。以下、この点について説明を行っていく。
【００３７】
図７は、本実施の形態のプラズマディスプレイ装置として、例えば４：３のアスペクト比の映像信号を入力して表示を行うのにあたり、図１３（ａ）に示したようにして、アスペクト比４：３の画像エリア２０１とサイドパネル２０２とによる表示を行うための構成を示している。
プラズマディスプレイ装置においては、例えば入力されたアナログ映像信号について、周知のようにしてガンマ補正処理及びＡ／Ｄ変換処理を行って、Ｒ，Ｇ，Ｂのデジタル映像信号を得るようにされる。図７に示す回路には、このＲ，Ｇ，Ｂのデジタル映像信号が入力される。
入力されたデジタル映像信号（入力映像信号）は、分岐して、ＡＰＬ演算回路１１及び合成回路１５に入力される。なお、以降における説明の便宜上、ここでの入力映像信号は、４：３のアスペクト比の画像に対応したものであるとする。
【００３８】
合成回路１５では、アスペクト比４：３の入力映像信号に対して、サイドパネル信号生成回路１４にて生成されたサイドパネル２０２としてのデジタル映像信号（サイドパネル映像信号）を合成し、合成映像信号として出力する。１フィールド単位の合成映像信号によっては、図１３（ａ）に示すようにして、アスペクト比４：３の入力映像信号部分が、同じアスペクト比４：３の画像エリア２０１として表示され、また、サイドパネル信号生成回路１４にて生成されたサイドパネル映像信号部分によって、サイドパネル２０２としての領域が表示されるものとなる。
また、サイドパネル信号生成回路１４は、ＡＰＬ演算回路１１、サイドパネル輝度設定回路１２、及びルックアップテーブル（ＬＵＴ）１３から成る回路部位により設定される輝度レベルを有する、サイドパネル映像信号を生成するようにされる。このサイドパネル映像信号のための輝度レベルの設定については、後述する。
【００３９】
合成回路１５から出力された合成映像信号は、ディスプレイパネル部１６内の信号処理回路２４に対して入力される。
信号処理回路２４では、入力された合成映像信号に基づいて、図２にも示した、アドレス電極ドライバ２１、電極Ｘドライバ２２、電極Ｙドライバ２３をコントロールする。つまり、入力された合成映像信号により、１フィールド期間における各セル３０（３０Ｒ，３０Ｇ，３０Ｂ）の表示輝度を設定する。そして、例えば図４に示したサブフィールド方式に従って、設定された表示輝度に対応する数のサステインパルスが各画素に印加されるように、アドレス電極ドライバ２１、電極Ｘドライバ２２、電極Ｙドライバ２３の電圧印加動作を制御する。
【００４０】
そして、信号処理回路２４においては、上記表示輝度を設定するのにあたりＰＬＥ(Peak Luminance Enhancement)制御を実行するようにされており、このために、図示するようにして、ＰＬＥ制御回路２４ａが備えられる。
【００４１】
ＰＬＥ制御回路２４ａの内部構成例を図８に示す。この図に示すように、ＰＬＥ制御回路２４ａは、ＡＰＬ演算回路４１、ＰＬＥ特性設定回路４２、及び表示輝度レベル制御回路４３とから成る。
ＰＬＥ制御回路２４ａにはデジタル映像信号が入力される。先の図７に示す構成に対応させれば、合成回路１５から出力され、必要に応じて所定の信号処理が施された合成映像信号が入力されることになる。
ただし、確認のために述べておくと、ＰＬＥ制御は、映像表示時に必ず実行されるべき処理である。例えば１６：９のアスペクト比の映像信号を表示出力させる場合には、サイドパネル映像信号を合成する必要はない。従って、このような場合には、サイドパネル映像信号を合成していない入力映像信号が、ＰＬＥ制御の対象として入力される。
【００４２】
ＰＬＥ制御回路２４ａに入力されたデジタル映像信号は、先ず、ＡＰＬ演算回路４１に入力される。
ＡＰＬ演算回路４１では、入力されたデジタル映像信号についての、１フィールドごとの平均輝度レベルを算出し、算出した平均輝度レベルの値を示す平均輝度レベル信号ＰＳＳをＰＬＥ特性設定回路４２に対して出力する。なお、このＡＰＬ演算回路４１と、図７に示されるＡＰＬ演算回路１１は、同様の機能を有するものであり、従って、ＡＰＬ演算回路４１とＡＰＬ演算回路１１は同様の回路構成とされてよい。
【００４３】
上記ＡＰＬ演算回路４１から出力された平均輝度レベル信号ＰＳＳは、ＰＬＥ特性設定回路４２に対して入力される。
ＰＬＥ特性設定回路４２においては、平均輝度レベルに対応したＰＬＥ制御特性を設定する。ＰＬＥ特性設定回路４２では、ＰＬＥ制御特性の情報として、平均輝度レベルに対応して設定されるべき表示輝度レベルの情報を有しており、入力された平均輝度レベル信号ＰＳＳが示す平均輝度レベルの値に対応した表示輝度レベル（ＰＬＥ制御特性）を設定する。そして、この設定された表示輝度レベルの値を示す表示輝度レベル制御信号ＰＳＳＣを表示輝度レベル制御回路４３に対して出力する。
表示輝度レベル制御回路４３は、入力された表示輝度レベル制御信号ＰＳＳＣに応じた輝度によるフィールド画像表示が行われるように制御を実行する。つまり、表示輝度レベル制御信号ＰＳＳＣに応じた輝度が得られるように、現フィールド画像の表示のために、各セルに印加すべきサステインパルス数（即ち表示輝度である）を決定する。そして、この決定されたサステインパルス数による発光動作が得られるように、アドレス電極ドライバ２１，電極Ｘドライバ２２、電極Ｙドライバ２３を制御してサブフィールド方式による駆動を実行させる。
【００４４】
図９は、ＰＬＥ制御特性としての例を示している。
この図においては、横軸に入力信号平均輝度レベル（デジタル映像信号の平均輝度レベル）及び平均輝度レベル信号ＰＳＳの値を示しており、縦軸に、実際に表示される表示輝度、及び表示時における表示（維持）電力を示している。ここで、横軸の入力信号平均輝度レベルとしては、０％（全黒）〜１００％（全白）の範囲が示されている。図８の説明から分かるように、同じ横軸に示される平均輝度レベル信号ＰＳＳは、入力信号平均輝度レベルをデジタル数値化したものであり、従って、平均輝度レベル信号ＰＳＳと入力信号平均輝度レベルとは互いに対応しているものとなる。この場合の平均輝度レベル信号ＰＳＳは、入力信号平均輝度レベル０％（全黒）〜１００％（全白）について、０〜２５５による２５６段階により表現しているものとされる。
【００４５】
そして、平均輝度レベル信号ＰＳＳに基づいて得られる表示輝度レベル制御信号ＰＳＳＣとしては、ＰＬＥ制御特性として、ＰＬＥ輝度制御特性と、表示（維持）電力特性が反映されたものとなる。つまり、表示輝度レベル制御信号ＰＳＳＣは、先ず、入力信号平均輝度レベルが０％から１００％に遷移するのに応じて、図示する特性により表示輝度を低下させていく制御が実行されるように、その値が設定される。また、入力信号平均輝度レベルが０％から１００％に遷移するのに応じて、図示する特性による表示（維持）電力が得られるように、その値が設定されるべきものとなる。なお、表示（維持）電力特性に関しては、或る所定の一定以上の入力信号平均輝度レベル（平均輝度レベル信号ＰＳＳ）に応じては、ほぼ一定となるべきものとされている。
【００４６】
このようにしてＰＬＥ制御が行われることによって、同じ輝度レベルの信号であっても、入力映像信号の平均輝度レベルが小さい場合には、表示輝度レベルを高く設定して高輝度な表示を行うことになる。また、平均輝度レベルが大きく明るい場合には、表示輝度レベルを低く設定して電力消費を抑制することになる。この結果、例えば図９に示すようにして、入力映像信号の平均輝度レベルにかかわらず、ほぼ表示に要する電力は一定となる特性が得られ、結果的に、平均輝度レベルが高い映像信号を画像として表示させる際の最大消費電力が減少される。また、このような表示輝度制御によっては、平均輝度レベルの低い映像信号が入力された場合に対応しては、コントラストの良好な画像が表示されることにもなる。
【００４７】
そのうえで、本実施の形態においては、サイドパネル信号生成回路１４にて生成されるサイドパネル映像信号の輝度レベルを一定とするのではなく、入力されるデジタル映像信号（アスペクト比４：３画像の映像信号）の平均輝度レベルに応じて可変するように構成される。そしてこの結果、上記したＰＬＥ制御が行われて画像表示されるときに、サイドパネル２０２の輝度が変化しないようにされる。つまり、例えば図１３（ａ）（ｂ）に示すような画像表示を行う場合において、画像エリア２０１の表示領域に関しては、ＰＬＥ制御によって、例えば図９に示したようにして、入力信号輝度レベルに応じて表示輝度がダイナミックに変化するようにされる。これに対して、サイドパネル２０２の表示領域に関しては表示輝度にほぼ変化がないようにする。この点について以降説明を行っていく。
【００４８】
図７において、合成回路１５に入力されるＲ，Ｇ，Ｂのデジタル映像信号は、画素ごとに平均化されて、ＡＰＬ演算回路１１にも分岐して入力される。
ＡＰＬ演算回路１１では、この入力されたデジタル映像信号について、フィールド単位ごとの平均輝度レベルを算出する。ここで留意すべきことは、このＡＰＬ演算回路１１に入力される映像信号は、合成回路によりサイドパネル２０２と合成される前の映像信号であり、従って、例えばアスペクト比４：３画像の領域のみによる映像信号とされることである。
上記ＡＰＬ演算回路１１にて得られた平均輝度レベルは、サイドパネル輝度設定回路１２に入力される。
【００４９】
ここで、従来の問題として先に述べたように、サイドパネル映像信号の輝度レベルを固定とした場合、例えばアスペクト比４：３画像の映像信号に対して、このサイドパネル映像信号部分を合成し、この後さらにＰＬＥ制御を行って得られる表示画像としては、サイドパネル２０２の部分の表示輝度が、アスペクト比４：３画像の映像信号の平均輝度レベルに応じて動的に変化してしまう。しかしながら、これを逆にとらえれば、アスペクト比４：３画像の映像信号の平均輝度レベルに応じて、このアスペクト比４：３画像の映像信号に合成すべきサイドパネル映像信号の輝度レベルを可変することで、ＰＬＥ制御がかけられた表示画像におけるサイドパネル２０２の部分の表示輝度を一定にできるということになる。
【００５０】
図１０は、サイドパネル２０２の部分の表示輝度を一定とするための、アスペクト比４：３画像の映像信号の平均輝度レベル（ＡＰＬ）に対する、サイドパネル映像信号の輝度レベル（サイドパネルデータ）の具体的設定例を示している。
例えばこの図に示すようにして、アスペクト比４：３画像の映像信号の平均輝度レベル（ＡＰＬ）に対応して、サイドパネルデータ（輝度レベル）を設定する。この場合、アスペクト比４：３画像の映像信号の平均輝度レベル（ＡＰＬ）は、０％（全黒）〜１００％（全白）の１０１段階ごとに区分されており、サイドパネルデータ（輝度レベル）は、０〜２５５の２５６段階の分解能を有しているものとされる。
この図から分かるように、アスペクト比４：３画像の映像信号の平均輝度レベル（ＡＰＬ）が高くなっていくのに応じて、サイドパネルデータ（輝度レベル）は、６／２５５〜２６／２５５の範囲で段階的に増加するようにして設定されていることが分かる。
【００５１】
そして、このようにして、サイドパネルデータ（輝度レベル）を設定することによって、ＰＬＥ制御によって得られるサイドパネル２０２の実輝度、つまり、表示輝度レベル制御信号ＰＳＳＣに基づく表示輝度レベルによって実際に表示パネルに表示されるサイドパネル２０２を計測して得られる輝度）は、図１０に示すようにして、アスペクト比４：３画像の映像信号の平均輝度レベル（ＡＰＬ）にかかわらず、約９〜１０cd/平方ｍの範囲内で収まるようにされる。そしてこの結果、上記実輝度により表示されるサイドパネル２０２を人間が視覚的に見た場合の輝度である見た目輝度としては、図示するようにして、アスペクト比４：３画像の映像信号の平均輝度レベル（ＡＰＬ）にかかわらず、１０±１cd/平方ｍ以内の誤差範囲で、一定となるものである。
【００５２】
説明を図７に戻すと、サイドパネル輝度設定回路１２は、ＡＰＬ演算回路１１から入力される、アスペクト比４：３画像の映像信号の平均輝度レベル（ＡＰＬ）に応じて、図１０に示したようなサイドパネル映像信号の輝度レベル（サイドパネルデータ）を設定するものである。具体的には、アスペクト比４：３画像の映像信号の平均輝度レベル（ＡＰＬ）が１０％を示す値とされているのであれば、サイドパネルデータとして、７／２５５を設定するものである。
そして、このようなサイドパネル映像信号の輝度レベルの設定にあたっては、例えば、図７に示すルックアップテーブル１３に対して、図１０に示されているように、０〜１００％のアスペクト比４：３画像の映像信号の平均輝度レベル（ＡＰＬ）ごとに対して、サイドパネルデータとしての値を対応付けたテーブル情報を格納しておくようにすればよい。サイドパネル輝度設定回路１２は、入力された平均輝度レベル（ＡＰＬ）の値に対応付けられたサイドパネルデータの値をルックアップテーブル１３から読み込んでセットする。これにより、サイドパネルデータ（サイドパネル映像信号の輝度レベル）として、７／２５５を設定したこととなる。
【００５３】
そして、サイドパネル輝度設定回路１２は、上記のようにして設定したサイドパネル映像信号の輝度レベルの値を、サイドパネル信号生成回路１４に対して出力する。サイドパネル信号生成回路１４は、入力された輝度レベル値を有する１フィールド分のサイドパネル映像信号を生成して合成回路１５に出力することになる。
このサイドパネル映像信号が、合成回路１５にてアスペクト比４：３画像の映像信号と合成され、信号処理回路２４に入力されてＰＬＥ制御が施されて表示出力されることになる。これにより、これまでの説明から理解されるようにして、表示パネルに表示されるサイドパネル２０２の輝度は、視覚的に一定となっているものである。
【００５４】
ここで、参考として、サイドパネル信号生成回路１４から合成回路１５に出力するサイドパネル映像信号の輝度レベル（サイドパネルデータ）を一定とした場合の、４：３画像の映像信号の平均輝度レベルと実輝度との関係を、図１１に示しておく。
この図では、０〜１００％の４：３画像の映像信号の平均輝度レベル（ＡＰＬ）に対して、サイドパネルデータを２６／２５５）で一定としている。この場合、ＰＬＥ制御が施されて表示パネルに表示される画像におけるサイドパネルの実輝度は、図示するようにして、４：３画像の映像信号の平均輝度レベル（ＡＰＬ）が高くなっていくのに応じて、４０．０cd/平方m〜１０．０平方mの間で大幅に変化していることが分かる。そして、ここでは図示していないが、この実輝度による表示では、見た目輝度としても、相応の変化を示す。従って、視覚的にも、あきらかにサイドパネル２０２の輝度の変化が認識できてしまう。
【００５５】
また、図１２には、サイドパネル映像信号の輝度レベルを固定とした場合と、４：３画像の映像信号の平均輝度レベル（ＡＰＬ）に応じて可変した場合とについての、４：３画像の映像信号の平均輝度レベル（ＡＰＬ）と、サイドパネル輝度との関係を、グラフ的に示している。この図においては、横軸に４：３画像の映像信号の平均輝度レベル（ＡＰＬ）が示され、縦軸にサイドパネル輝度が示される。また、ここでのサイドパネル輝度は、例えば実輝度、若しくは見た目輝度を指す。
図１２（ａ）には、サイドパネル映像信号の輝度レベルを固定とした場合の関係が示されているが、この場合には、図を参照して理解されるように、サイドパネル２０２の輝度は、４：３画像の映像信号の平均輝度レベル（ＡＰＬ）が低いと高くなり、逆に、４：３画像の映像信号の平均輝度レベル（ＡＰＬ）が高くなると低くなっていき、ＡＰＬが或る値以上になると一定となる特性が得られていることが分かる。この特性は、例えば図１１に具体的に示した、４：３画像の映像信号の平均輝度レベル（ＡＰＬ）と、実輝度との関係としても現れている。
これに対して、図１２（ｂ）には、例えば図１０に示したようにして、４：３画像の映像信号の平均輝度レベル（ＡＰＬ）に応じて、サイドパネル映像信号の輝度レベルを可変設定した場合が示されている。この場合には、図において実線で示すようにして、４：３画像の映像信号の平均輝度レベル（ＡＰＬ）の増減に対して、サイドパネル２０２の輝度は一定となっている。この特性も、図１０における４：３画像の映像信号の平均輝度レベル（ＡＰＬ）と、実輝度との関係に現れている。
【００５６】
なお、本発明は上記した実施の形態としての構成に限定されるものではない。例えばこれまでの説明においては、アスペクト比１６：９の表示パネルであることを前提として、図１３（ａ）に示したような４：３画像の両サイドに対してサイドパネルとしての非画像領域を形成した場合を例に説明したが、例えば図１３に示したように、複数の画像エリア２０１を表示させたうえで、残りの領域をサイドパネル的な非画像領域とする場合にも本発明が適用できる。さらに、アスペクト比４：３の表示パネルにおいて、映画などの映像ソースの映像信号を表示させた場合には、上下に非画像領域が形成されることになるが、このような場合にも本発明は適用できる。つまりは、画像領域と非画像領域が同一画面に表示される場合全般について本発明は適用できる。
【００５７】
また、焼き付きの防止には、いわゆる画素ずらしといわれる手法も知られている。この画素ずらしでは、例えば、或る所定の循環軌道を想定し、この循環軌道に従って、表示画面上において表示されるべき画像全体を移動させるように表示制御を実行する。このような画像表示とされることで、例えば高輝度で再現すべき画像部分を形成する表示セルの位置がずれていくようにされるため、特定の表示セルに対応する蛍光体のみの劣化の進行を抑制できる。つまり、焼き付きが低減される。
上記実施の形態としては、焼き付き防止のために、非画像領域について或る程度の輝度を与えるようにする手法を採ることを前提としているが、本発明が適用されるディスプレイ装置の実際としては、例えばより高い焼き付き防止効果が得られることを目的として、上記した画素ずらしをはじめとした他の焼き付き防止のための手法を併用する構成としても構わない。
さらに本発明は、プラズマディスプレイ装置以外のディスプレイ装置であって、画像領域と非画像領域を同一画面に表示させると共に、ＰＬＥ制御のような、輝度レベル変換を行う制御が行われるものについても、本発明は適用できる。
【図面の簡単な説明】
【００５８】
【図１】本発明の実施の形態としてのプラズマディスプレイ装置のディスプレイパネルの構造を示す斜視図である。
【図２】実施の形態のプラズマディスプレイ装置の構成を、電極ドライバと電極とにより示す図である。
【図３】実施の形態のディスプレイパネルにおけるＲ，Ｇ，Ｂセルと、画素との関係を示す図である。
【図４】実施の形態で適用されるサブフィールドパターンの例を示す図である。
【図５】サブフィールド方式における電極の駆動（電圧印加）タイミング例を示すタイミングチャート（波形図）である。
【図６】実施の形態のディスプレイパネルにおける表示原理を説明するための、ディスプレイパネルの断面図である。
【図７】実施の形態としてのプラズマディスプレイ装置の構成例を示すブロック図である。
【図８】ＰＬＥ制御回路の構成例を示すブロック図である。
【図９】ＰＬＥ制御回路にて設定されるＰＬＥ制御特性例を示すブロック図である。
【図１０】４：３画像の映像信号の平均輝度レベルに応じてサイドパネル映像信号の輝度レベルを可変した場合の、実輝度及び見た目輝度の特性の具体例を示す説明図である。
【図１１】サイドパネル映像信号の輝度レベルを固定した場合の、実輝度の特性の具体例を示す説明図である。
【図１２】サイドパネル映像信号の輝度レベルを固定した場合と、４：３画像の映像信号の平均輝度レベルに応じて可変した場合とについての、４：３画像の映像信号の平均輝度レベル変化に対するサイドパネルの輝度変化の関係を示す図である。
【図１３】同一表示画面内に、画像エリアとサイドパネルが表示される態様例を示す図である。
【符号の説明】
【００５９】
１１  ＡＰＬ演算回路、１２  サイドパネル輝度設定回路、１３  ルックアップテーブル、１４  サイドパネル信号生成回路、１５  合成回路、１６  ディスプレイパネル部、２１  アドレス電極ドライバ、２２  電極Ｘドライバ、２３  電極Ｙドライバ、２４  信号処理回路、２４ａ  ＰＬＥ制御回路、３０（３０Ｒ，３０Ｇ，３０Ｂ）  （Ｒ，Ｇ，Ｂ）セル、３１  画素、４１  ＡＰＬ演算回路、４２  ＰＬＥ特性設定回路、４３  表示輝度レベル制御回路、１０１  前面ガラス基板、１０２  サステイン電極、１０２Ａ  電極Ｘ、１０２Ｂ  電極Ｙ、１０２ａ  透明導電膜、１０２ｂ  金属膜、１０３  誘電体層、１０４  保護膜、１０５  背面ガラス基板、１０６  隔壁、１０７  アドレス電極、１０８（１０８Ｒ，１０８Ｇ，１０８Ｂ）  （Ｒ，Ｇ，Ｂ）蛍光体層、１０９  放電空間
【図１】
2005010743.tif 000003
【図２】
2005010743.tif 000004
【図３】
2005010743.tif 000005
【図４】
2005010743.tif 000006
【図５】
2005010743.tif 000007
【図６】
2005010743.tif 000008
【図７】
2005010743.tif 000009
【図８】
2005010743.tif 000010
【図９】
2005010743.tif 000011
【図１０】
2005010743.tif 000012
【図１１】
2005010743.tif 000013
【図１２】
2005010743.tif 000014
【図１３】
2005010743.tif 000015